(57)【要約】【課題】携帯端末との間でデータ通信を行うためのパラメータ設定を自動化すること。【解決手段】携帯端末との間で無線通信を行い、該携帯端末と接続された通信網を介してデータ通信を行う車載機は、当該車載機との間で第１の通信設定が行われた携帯端末に該携帯端末が所属する事業者の情報を取得させる事業者情報取得命令を作成する事業者情報取得命令作成部と、第１の通信設定に従って、携帯端末に、事業者情報取得命令を送信する事業者情報取得命令送信部と、第１の通信設定に従って携帯端末により送信された事業者情報取得命令に対する応答を受信する事業者情報取得命令応答受信部と、該応答から事業者の情報を取得し、該事業者の情報を用いて、携帯端末を介して通信網に接続するための第２の通信設定を行う通信設定部とを有する。【選択図】図２
2011015324.tif 000002
【特許請求の範囲】
【請求項１】
携帯端末との間で無線通信を行い、該携帯端末と接続された通信網を介してデータ通信を行う車載機であって、
当該車載機との間で第１の通信設定が行われた携帯端末に該携帯端末が所属する事業者の情報を取得させる事業者情報取得命令を作成する事業者情報取得命令作成部と、
前記第１の通信設定に従って、前記携帯端末に、前記事業者情報取得命令を送信する事業者情報取得命令送信部と、
前記第１の通信設定に従って前記携帯端末により送信された前記事業者情報取得命令に対する応答を受信する事業者情報取得命令応答受信部と、
該事業者情報取得命令応答受信部により受信された応答から事業者の情報を取得し、該事業者の情報を用いて、前記携帯端末を介して前記通信網に接続するための第２の通信設定を行う通信設定部と
を有する車載機。
【請求項２】
請求項１に記載の車載機において、
データ通信に使用すべき携帯端末を設定する使用携帯端末設定部
を有し、
前記通信設定部は、前記使用携帯端末設定部によりデータ通信に使用すべき携帯端末として設定された携帯端末との間で、前記第２の通信設定を行う車載機。
【請求項３】
請求項１に記載の車載機において、
当該車載機に第１の通信設定が行われていることを判定することにより、当該車載機と前記携帯端末との間に前記第１の通信設定が行われていることを判定する車載機。
【請求項４】
請求項１に記載の車載機において、
当該車載機に接続すべきデバイス毎に第１の通信設定が行われていることを判定することにより、当該車載機と前記携帯端末との間に前記第１の通信設定が行われていることを判定する車載機。
【請求項５】
請求項１ないし４のいずれか１項に記載の車載機において、
当該車載機は、前記携帯端末との間で、ブルートゥースに準拠したハンズフリー通話を実現するための第１のプロファイルを設定し、
前記通信設定部は、前記事業者の情報を用いて、ブルートゥースに準拠した前記携帯端末を介して前記通信網に接続するための第２のプロファイルを設定する車載機。
【請求項６】
携帯端末と、該携帯端末との間で無線通信を行い、該携帯端末と接続された通信網を介してデータ通信を行う車載機とを有するシステムであって、
前記車載機は、
当該車載機との間で第１の通信設定が行われた携帯端末に該携帯端末が所属する事業者の情報を取得させる事業者情報取得命令を作成する事業者情報取得命令作成部と、
前記第１の通信設定に従って、前記携帯端末に、前記事業者情報取得命令を送信する事業者情報取得命令送信部と、
前記第１の通信設定に従って前記携帯端末により送信された前記事業者情報取得命令に対する応答を受信する事業者情報取得命令応答受信部と、
該事業者情報取得命令応答受信部により受信された応答から事業者の情報を取得し、該事業者の情報を用いて、前記携帯端末を介して前記通信網に接続するための第２の通信設定を行う通信設定部と
を有し、
前記携帯端末は、
前記車載機により送信された事業者情報取得命令を受信する事業者情報取得命令受信部と、
該事業者情報取得命令受信部により受信された事業者情報取得命令に従って、前記通信網にアクセスし、当該携帯端末が所属する事業者の情報を取得する事業者情報取得部と、
前記車載機に、前記事業者情報取得部により取得された事業者の情報を送信する事業者情報送信部と
を有するシステム。
【請求項７】
携帯端末との間で無線通信を行い、該携帯端末と接続された通信網を介してデータ通信を行う車載機におけるデータ通信設定方法であって、
当該車載機との間で第１の通信設定が行われた携帯端末に該携帯端末が所属する事業者の情報を取得させる事業者情報取得命令を作成する事業者情報取得命令作成ステップと、
前記第１の通信設定に従って、前記携帯端末に、前記事業者情報取得命令を送信する事業者情報取得命令送信ステップと、
前記第１の通信設定に従って前記携帯端末により送信された前記事業者情報取得命令に対する応答を受信する事業者情報取得命令応答受信ステップと、
該事業者情報取得命令応答受信ステップにより受信された応答から事業者の情報を取得し、該事業者の情報を用いて、前記携帯端末を介して前記通信網に接続するための第２の通信設定を行う通信設定ステップと
を有するデータ通信設定方法。
【発明の詳細な説明】
【技術分野】
【０００１】
本発明は、車載機に関し、特に携帯端末を介してデータ通信を行う車載機及びシステム並びにデータ通信設定方法に関する。
【背景技術】
【０００２】
ハンズフリー機能を有する車載機（以下、車載機と呼ぶ）は、例えば、ブルートゥース(Bluetooth)（登録商標）通信機能を有する。該車載機は、ブルートゥース通信機能を有する携帯端末（以下、携帯端末と呼ぶ）との間で、ハンズフリープロファイル(HFP:  Hands-Free  Profile)機能により接続し、ハンズフリー機能を登録する。ハンズフリー機能を登録することにより、車載機と携帯端末との間でハンズフリー機能が使用可能となり、ユーザは携帯電話を持たずに操作・通話できるようになる。
【０００３】
また、車載機は、当該車載機とブルートゥースにより接続される携帯端末が接続される通信網に接続された通信装置とダイアルアップネットワーキングプロファイル(Dial-up  Networking  Profile)機能を利用してデータ通信できる。
【先行技術文献】
【特許文献】
【０００４】
【特許文献１】特開２００８−２７８１７２号公報
【発明の概要】
【発明が解決しようとする課題】
【０００５】
車載機と通信装置との間でデータ通信を行うための設定が非常に煩わしい問題がある。車載機が携帯端末を介して、通信装置との間でデータ通信を行うためには、車載機に対して以下の設定が必要である。
（１）携帯端末の登録及び接続設定
（２）携帯端末の事業者の設定
携帯端末の登録及び接続設定では、携帯端末の登録及び近距離無線通信方式、例えばブルートゥースに関する設定が行われる。
【０００６】
携帯端末の事業者の設定では、データ通信を行う事業者が設定される。携帯端末が通信網にアクセスする通信方式によって、車載機と携帯端末との間のブルートゥースにおける通信方法が異なる。例えば、日本では、事業者から通信方式が一意に決定される。従って、事業者を設定することにより、ブルートゥースにおける通信方法に関するパラメータを設定できる。
【０００７】
以上の設定はユーザが行う必要があるが、上述した設定が必要であることが分からない場合もある。また、設定方法が複雑であり、分かりにくい問題がある。
【０００８】
本発明は、上述の点に鑑みてなされたものであり、携帯端末を介してデータ通信を行うためのパラメータ設定を自動化できる車載機及びシステム並びにデータ通信設定方法を提供することを目的とする。
【課題を解決するための手段】
【０００９】
本車載機は、
携帯端末との間で無線通信を行い、該携帯端末と接続された通信網に接続する車載機であって、
当該車載機との間で第１の通信設定が行われた携帯端末に該携帯端末が所属する事業者の情報を取得させる事業者情報取得命令を作成する事業者情報取得命令作成部と、
前記第１の通信設定に従って、前記携帯端末に、前記事業者情報取得命令を送信する事業者情報取得命令送信部と、
前記第１の通信設定に従って前記携帯端末により送信された前記事業者情報取得命令に対する応答を受信する事業者情報取得命令応答受信部と、
該事業者情報取得命令応答受信部により受信された応答から事業者の情報を取得し、該事業者の情報を用いて、前記携帯端末を介して前記通信網に接続するための第２の通信設定を行う通信設定部と
を有する。
【００１０】
本システムは、
携帯端末と、該携帯端末の間で無線通信を行い、該携帯端末と接続された通信網に接続する車載機とを有するシステムであって、
前記車載機は、
当該車載機との間で第１の通信設定が行われた携帯端末に該携帯端末が所属する事業者の情報を取得させる事業者情報取得命令を作成する事業者情報取得命令作成部と、
前記第１の通信設定に従って、前記携帯端末に、前記事業者情報取得命令作成部により作成された事業者情報取得命令を送信する事業者情報取得命令送信部と、
前記第１の通信設定に従って前記携帯端末により送信された前記事業者情報取得命令に対する応答を受信する事業者情報取得命令応答受信部と、
該事業者情報取得命令応答受信部により受信された応答から事業者の情報を取得し、該事業者の情報を用いて、前記携帯端末を介して前記通信網に接続するための第２の通信設定を行う通信設定部と
を有し、
前記携帯端末は、
前記車載機により送信された事業者情報取得命令を受信する事業者情報取得命令受信部と、
該事業者情報取得命令受信部により受信された事業者情報取得命令に従って、前記通信網にアクセスし、当該携帯端末が所属する事業者の情報を取得する事業者情報取得部と、
前記車載機に、前記事業者情報取得部により取得された事業者の情報を送信する事業者情報送信部と
を有する。
【００１１】
本データ通信設定方法は、
携帯端末との間で無線通信を行い、該携帯端末と接続された通信網を介してデータ通信を行う車載機におけるデータ通信設定方法であって、
当該車載機との間で第１の通信設定が行われた携帯端末に該携帯端末が所属する事業者の情報を取得させる事業者情報取得命令を作成する事業者情報取得命令作成ステップと、
前記第１の通信設定に従って、前記携帯端末に、前記事業者情報取得命令を送信する事業者情報取得命令送信ステップと、
前記第１の通信設定に従って前記携帯端末により送信された前記事業者情報取得命令に対する応答を受信する事業者情報取得命令応答受信ステップと、
該事業者情報取得命令応答受信ステップにより受信された応答から事業者の情報を取得し、該事業者の情報を用いて、前記携帯端末を介して前記通信網に接続するための第２の通信設定を行う通信設定ステップと
を有する。
【発明の効果】
【００１２】
開示の車載機及びシステム並びにデータ通信設定方法によれば、携帯端末を介してデータ通信を行うためのパラメータ設定を自動化できる。
【図面の簡単な説明】
【００１３】
【図１】本実施例に従った車載機が適用されるシステムの一例を示す説明図である。
【図２】本実施例に従った車載機を示す機能ブロック図である。
【図３】本実施例に従った携帯端末を示す機能ブロック図である。
【図４】本実施例に従った車載機の動作の一例を示すフローチャートである。
【図５】本実施例に従った車載機の動作の一例を示すフローチャートである。
【発明を実施するための形態】
【００１４】
次に、本発明を実施するための形態を、以下の実施例に基づき図面を参照しつつ説明する。
【００１５】
なお、実施例を説明するための全図において、同一機能を有するものは同一符号を用い、繰り返しの説明は省略する。
【００１６】
＜システム＞
図１は、本実施例に従った車載機と携帯端末とが適用されるシステムを示す。
【００１７】
本システムは、車載機１００と、携帯端末２００とを有する。車載機１００は、例えば、車両などの移動体に搭載される。車載機１００と携帯端末２００との間は近距離無線通信方式により無線接続される。該近距離無線通信方式には、ブルートゥースが含まれる。携帯端末２００は、基地局３００と無線接続される。携帯端末２００には、携帯電話が含まれる。基地局３００は、移動体通信網４００と接続される。
【００１８】
本車載機１００と本携帯端末２００との間で、ハンズフリープロファイルの設定が行われる。本車載機１００は、ハンズフリープロファイル機能により、携帯端末２００に、該携帯端末２００の所属する事業者の情報を取得するように命令する。携帯端末２００は、車載機１００による命令に従って、基地局３００と無線接続することにより、移動体通信網４００にアクセスし、当該携帯端末２００の所属する事業者の情報を取得する。ブルートゥース規格のバージョン1.2では、ハンズフリープロファイル機能に事業者の情報を取得する機能が含まれている。携帯端末２００は、ブルートゥースにより、車載機１００に、移動体通信網４００にアクセスすることにより取得した事業者の情報を無線送信する。
【００１９】
車載機１００は、携帯端末２００により通知された事業者の情報を用いて、当該車載機１００が携帯端末２００を介して移動体通信網４００に接続するためのプロファイルを設定する。
【００２０】
携帯端末２００が移動体通信網４００にアクセスする通信方式によって、車載機１００と携帯端末２００との間のブルートゥースにおける通信方法が異なる。通信方式には、ジーエスエム(GSM:  Global  System  for  Mobile  Communications)、ダブリューシーディーエムエー(Wideband  CDMA:  Wideband  Code  Division  Multiple  Access)、符号分割多重接続(CDMA:  Code  Division  Multiple  Access)、ピーディーシー(PDC:  Personal  Digital  Cellular)などが含まれる。従って、ユーザは、車載機１００に、事業者の情報を事前に設定する必要がある。これまで、携帯端末２００により事業者の情報を取得することができなかったため、ユーザは手入力により事業者の情報を車載機１００に入力する必要があった。本実施例によれば、車載機１００は、携帯端末２００に事業者の情報を取得させることができるため、事業者の情報の設定を自動化できる。例えば、日本では、事業者の情報から通信方式が一意に決定される。従って、事業者の情報を取得し、該事業者の情報を設定することにより、ブルートゥースにおける通信方法に関するパラメータを設定できる。以下、車載機１００が携帯端末２００を介して移動体通信網４００に接続するためのプロファイルを設定することをダイアルアップネットワーキングプロファイル設定と呼ぶ。
【００２１】
本実施例では、車載機１００と携帯端末２００との間で行われる近距離無線通信の通信方式の一例としてブルートゥースが適用される場合について説明するが、携帯端末２００に事業者の情報を取得させる機能を含む通信方式であれば、他の通信方式であってもよい。
【００２２】
＜車載機＞
図２は、本車載機１００の機能ブロック図である。
【００２３】
本車載機１００は、例えば、ナビゲーション装置であってもよい。本車載機１００は、制御部１０２と、ブルートゥース通信部１０４と、操作部１０６と、表示部１０８と、RAM(Random  Access  Memory)１１０と、ROM(Read  Only  Memory)１１２と、音声処理部１１４と、マイクロフォン１１６と、スピーカ１１８とを有する。制御部１０２は、ハンズフリープロファイル設定部１０２２と、事業者情報取得命令作成部１０２４と、使用携帯端末設定部１０２６と、ダイアルアップネットワーキングプロファイル設定部１０２８とを有する。
【００２４】
制御部１０２は、当該車載機１００の通信処理やデータ管理処理などの処理全般を制御する。
【００２５】
ハンズフリープロファイル設定部１０２２は、当該車載機１００と携帯端末２００との間のハンズフリープロファイルに関する設定を行う。
【００２６】
事業者情報取得命令作成部１０２４は、携帯端末２００に該携帯端末２００の所属する事業者の情報を取得させるための命令を作成する。
【００２７】
使用携帯端末設定部１０２６は、データ通信を許可する携帯端末を設定する。ユーザの許可しない携帯端末を介してデータ通信が行われないようにするためである。
【００２８】
ダイアルアップネットワーキングプロファイル(DUN:  Dial-up  Networking  Profile)設定部１０２８は、当該車載機１００と携帯端末２００との間のダイアルアップネットワーキングプロファイルに関する設定を行う。
【００２９】
ブルートゥース通信部１０４は、制御部１０２と接続される。該ブルートゥース通信部１０４は、ブルートゥースモジュールにより構成される。ブルートゥース通信部１０４は、携帯端末２００がブルートゥース通信圏内に存在している場合に、該携帯端末２００との間で通信回線を確立し、ブルートゥースの通信規格に準拠した通信を行う。ブルートゥース通信部１０４は、物理層として無線通信を確立するRF(Radio  Frequency)部と、ブルートゥースの仕様に応じた処理を行うBT部とを有する。RF部の接続方式としてブルートゥースでは、同期接続(SCO:  synchronous  connection  oriented)と非同期接続(ACL:  Asynchronous  Connectionless  Link)が定義されている。同期接続は携帯端末２００と、車載機１００のブルートゥース通信部１０４との間に形成される回線接続タイプのポイント・ツー・ポイント・リンクであり、主に音声データの転送に使用される。非同期接続は、携帯端末２００と、車載機１００のブルートゥース通信部１０４との間に形成されるパケット交換タイプの接続を行うリンクであり、主にデータ転送に使用される。
【００３０】
ブルートゥースでは、接続可能なBTモジュールをPagingメッセージにて呼び出す（呼び出しモード）側をマスターと称し、Pagingメッセージに応答することで接続される（スタンバイモードにて）側をスレーブと称す。そして、スレーブ側が応答に答えると接続状態となる。また、マスターとスレーブ間に形成されるネットワークをピコネットといい、本実施例では、車載機１００がマスターに、携帯端末２００がスレーブになる。
【００３１】
車載機１００のブルートゥース通信部１０４のBT部は、携帯端末２００との間で、ピコネット内同期を確立する処理や、送受信信号の符号化／復号化処理等を実行する。ブルートゥース通信部１０４及び携帯端末２００は送信時には搬送波信号を送信データでデジタル変調し、該被変調搬送波信号を所定時間毎に周波数を切り替える周波数ホッピングによりスペクトラム拡散する。該送信信号を規定値以下の送信出力レベルに増幅した後、アンテナから通信相手の車載機１００又は携帯端末２００に送信する。また、アンテナを介して、通信相手から到来した無線信号を受信し、該無線信号をスペクトラム逆拡散した後にデジタル復調する。
【００３２】
BTモジュールには固有のIDが与えられており、接続する場合には該IDにより通信相手を識別する。また、最初にBTモジュールを接続する時はPINキー（暗証番号）の入力が必要であり、正しいPINキーが入力されることによりペアリングが完了し、ペアリングが完了した以降は一方がピコネットに進入するだけで両者が接続される。
【００３３】
携帯端末２００は、例えばハンズフリープロファイル機能と、ダイアルアップネットワーキングプロファイル機能とを有する。ハンズフリープロファイル機能は、車内やヘッドセットでハンズフリー通話を実現するためのプロファイルである。ハンズフリープロファイル機能は、通信の発信・着信機能を有する。ダイアルアップネットワーキングプロファイル機能は、携帯電話やPHS(Personal  Handyphone  System)を介してインターネットにダイアルアップ接続するためのプロファイルである。
【００３４】
操作部１０６は、制御部１０２と接続される。操作部１０６は、ユーザによる操作を検出し、該操作内容を表す操作信号を制御部１０２に出力する。例えば、操作部１０６には、必要に応じて、「はい」、「いいえ」、「戻る」、「変更」、「完了」、「登録」、「中止」に該当する操作を示す釦が設けられてもよい。ユーザは、該当する釦を押すことにより、該釦に該当する操作内容を示す操作信号を制御部１０２に入力する。
【００３５】
表示部１０８は、制御部１０２と接続される。表示部１０８は、制御部１０２から表示信号が入力されると、該表示信号に基づいて画面表示を行う。例えば、表示部１０８は、タッチパネルにより構成されてもよい。表示部１０８がタッチパネルにより構成されている場合に、該タッチパネルに表示された部分を押下げることにより、該部分に対応する処理が行われる。
【００３６】
RAM１１０は、制御部１０２と接続される。RAM１１０は、例えば携帯端末２００から転送されるデータを記憶する。携帯端末２００から転送されるデータには、例えば電話帳データ、発信履歴データ及び着信履歴データなどが含まれてもよい。ROM１１２は、制御部１０２と接続される。ROM１１２は、例えば携帯端末２００から転送されるデータなどを記憶する。携帯端末２００からデータが転送された場合、制御部１０２は、RAM１１０やROM１１２に対するデータの記憶処理を管理する。また、ユーザが操作部１０６を操作することにより、データの表示要求を行った際には、制御部１０２は、RAM１１０やROM１１２に記憶されているデータを表示部１０８に表示させる。
【００３７】
音声処理部１１４は、制御部１０２と接続される。音声処理部１１４は、マイクロフォン１１６により入力された音声やスピーカ１１８により出力される音声を処理する。ブルートゥース通信部１０４と携帯端末２００との間がハンズフリープロファイル機能により接続され、ハンズフリー通話が行われる場合には、音声処理部１１４は、マイクロフォン１１６により入力された音声を処理する。音声処理部１１４により音声処理が行われた信号は、制御部１０２による制御によりブルートゥース通信部１０４から携帯端末２００に送信される。該信号は、携帯端末２００から移動体通信網４００に送信される。一方、携帯端末２００が移動体通信網４００から受信した信号は、音声である場合には、ブルートゥース通信部１０４により受信され、スピーカ１１８から出力される。
【００３８】
＜携帯端末＞
図３は、本携帯端末２００の機能ブロック図である。携帯端末２００には、携帯電話が含まれてもよい。
【００３９】
本携帯端末２００は、制御部２０２と、送信部２０４と、変調部２０６と、受信部２０８と、復調部２１０と、音声処理部２１２と、マイクロフォン２１４と、スピーカ２１６と、メモリ２１８と、表示部２２０と、操作部２２２と、ブルートゥース通信部２２４とを有する。
【００４０】
受信部２０８は所定のPLL(Phase  Locked  Loop)回路から供給された基準周波数に基づいて、基地局３００からの下りリンクの信号を受信し、該受信した下りリンクの信号を復調部２１０に出力する。
【００４１】
復調部２１０は、受信送信部２０８と接続され、該受信信部２０８により入力された下りリンクの信号（搬送波）を復調し、該復調搬送波を制御部２０２に出力する。復調部２１０は、例えば位相変調されたデジタルデータを復調し、制御部２０２に入力する。
【００４２】
制御部２０２は、復調部２１０と接続され、該復調部２１０により音声データが入力された場合には、該音声データを音声処理部２１２に出力する。また、制御部２０２は、復調部２１０により通信データが入力された場合には、該通信データをプロトコル処理し、所定のアプリケーション処理を行う。例えば、制御部２０２は、通信データを、該通信データに対応したアプリケーションソフトウェアのデータとして表示部２２０に表示する制御を行う。
【００４３】
事業者情報取得制御部２０２２は、ブルートゥース通信部２２４により事業者情報取得命令が入力された場合、該事業者情報取得命令を含むパケットを変調部２０６及び送信部２０４を介して送信し、該パケットの応答に含まれる事業者の情報を受信部２０８及び復調部２１０を介して取得する。事業者情報取得制御部２０２２は、事業者の情報をブルートゥース通信部２２４に入力する。ブルートゥース通信部２２４は、車載機１００に事業者の情報を無線送信する。該事業者の情報は、車載機１００のブルートゥース通信部１０４に受信される。ブルートゥース通信部１０４は、事業者の情報をダイアルアップネットワーキングプロファイル設定部１０２８に入力する。
【００４４】
音声処理部２１２は、制御部２０２と接続され、該制御部２０２により入力された音声符号を復号化した後アナログ信号に変換し、通信相手の発した音声を増幅してスピーカ２１６から出力する。また、音声処理部２１２は、マイクロフォン２１４から入力された音声をデジタルの音声符号に変換する。音声処理部２１２は、該音声符号を制御部２０２に出力する。制御部２０２は、音声処理部２１２により入力された音声符号を変調部２０６に入力する。
【００４５】
変調部２０６は、制御部２０２と接続され、該制御部２０２により入力された音声符号の搬送波を変調し、送信部２０４に入力する。例えば、変調部２０６は、制御部２０２により入力された音声符号の搬送波を位相変調し、送信部２０４に入力する。送信部２０４は、変調部２０６と接続され、該変調部２０６により入力された変調波を無線送信する。
【００４６】
操作部２２２は、制御部２０２と接続される。操作部２２２は、ユーザによる操作に従って、該操作により入力された操作内容及びアプリケーションを制御部２０２に出力する。制御部２０２は、操作部２２２により入力された操作内容及びアプリケーションに応じて、データを処理して、必要であればプロトコル処理した後、変調器２０６にて搬送波を例えば位相変調した後、送信部２０４から送信する。
【００４７】
メモリ２１８は、制御部２０２と接続される。メモリ２１８は、オペレーティングシステム(OS:  Operating  System)やアプリケーションソフトウェアと共に電話帳データを記憶する。
【００４８】
ブルートゥース通信部２２４は、制御部２０２と接続される。ブルートゥース通信部２２４は、ブルートゥースモジュールにより構成される。ブルートゥース通信部２２４は、車載機１００のブルートゥース通信部１０４と同様に、物理層として無線通信を確立するRF部と、ブルートゥースの仕様に応じた処理を行うBT部とを有する。RF部の接続方式としてブルートゥースでは、同期接続と非同期接続が定義されている。同期接続は携帯端末２００のブルートゥース通信部２２４と、車載機１００のブルートゥース通信部１０４との間に形成される回線接続タイプのポイント・ツー・ポイント・リンクであり、主に音声データの転送に使用される。非同期接続は、携帯端末２００のブルートゥース通信部２２４と、車載機１００のブルートゥース通信部１０４との間に形成されるパケット交換タイプの接続を行うリンクであり、主にデータ転送に使用される。
【００４９】
ブルートゥースでは、接続可能なBTモジュールをPagingメッセージにて呼び出す呼び出しモード側をマスターと称し、Pagingメッセージに応答することで接続される（スタンバイモードにて）側をスレーブと称す。そして、スレーブ側が応答に答えると接続状態となる。また、マスターとスレーブとの間に形成されるネットワークをピコネットといい、本実施例では、車載機１００がマスターに、携帯端末２００がスレーブになる。
【００５０】
携帯端末２００のブルートゥース通信部２２４は、車載機１００のブルートゥース通信部１０４のBT部との間で、ピコネット内同期を確立する処理や、送受信信号の符号化／復号化処理等を実行する。ブルートゥース通信部１０４及びブルートゥース通信部２２４は送信時には搬送波信号を送信データでデジタル変調し、該被変調搬送波信号を所定時間毎に周波数を切り替える周波数ホッピングによりスペクトラム拡散する。該送信信号を規定値以下の送信出力レベルに増幅した後、アンテナから通信相手の車載機１００又は携帯端末２００に送信する。また、アンテナを介して、通信相手から到来した無線信号を受信し、該無線信号をスペクトラム逆拡散した後にデジタル復調する。
【００５１】
BTモジュールには固有のIDが与えられており、接続する場合には該IDにより通信相手を識別する。また、最初にBTモジュールを接続する時はPINキー（暗証番号）の入力が必要であり、正しいPINキーが入力されることによりペアリングが完了し、ペアリングが完了した以降は一方がピコネットに進入するだけで両者が接続される。
【００５２】
＜データ通信設定方法＞
図４及び図５は、本実施例に従った車載機１００におけるデータ通信設定方法を示す。
【００５３】
車載機１００は、メインメニュー画面を表示する（ステップＳ４０２）。制御部１０２は、表示部１０８に、メインメニュー画面を表示する。
【００５４】
車載機１００は、ブルートゥースにおけるハンズフリープロファイル機能が未設定であるかを判断する(ステップＳ４０４)。ハンズフリープロファイル設定部１０２２は、ブルートゥース通信部１０４にハンズフリープロファイル機能が未設定であるかを判断する。
【００５５】
ハンズフリープロファイル機能が未設定でない場合（ステップＳ４０４：ＮＯ）、車載機１００は、データ通信に利用する携帯端末２００が未選択であるかを判断する（ステップＳ４０６）。使用携帯端末設定部１０２６は、ハンズフリープロファイル設定部１０２２によりハンズフリープロファイル機能が未設定でないと判定された場合、データ通信に利用する携帯端末２００が未選択であるかを判断する。
【００５６】
ステップＳ４０４では、当該車載機１００のハンズフリープロファイル機能が設定されているかを判断するようにしてもよいし、ハンズフリープロファイル機能を有するデバイスが登録されているかを判断するようにしてもよい。当該車載機１００におけるハンズフリープロファイル機能が設定されていることを判断することにより、処理負荷を低減できる。また、携帯端末２００の管理が機能単位である場合には、他の装置、例えばオーディオ用デバイスなどによりハンズフリープロファイル機能が設定された場合には、携帯端末２００のハンズフリープロファイル機能は設定されていない場合でも、ハンズフリープロファイル機能が設定されたことになる。しかし、ハンズフリープロファイル機能を有するデバイス毎に登録されていることを判断することにより、他の装置によりハンズフリープロファイル機能が設定された場合であっても、携帯端末２００のハンズフリープロファイル機能は設定されていないため、確実に、携帯端末２００のハンズフリープロファイル機能を設定できる。
【００５７】
ハンズフリープロファイル機能が未設定である場合（ステップＳ４０４：ＹＥＳ）、車載機１００は、接続設定を行う操作が行われたかを判断する（ステップＳ４０８）。例えば、メインメニュー画面上に、ブルートゥースの接続設定を行うための画面を表示するようにしてもよい。例えば、「車載ネットワークサービスへの接続には、各種設定が必要です。設定を行いますか？」などの設定をナビゲートするための表示が行われる。例えば、ハンズフリープロファイル設定部１０２２は、ハンズフリープロファイル機能が未設定である場合、表示部１０８に、ハンズフリープロファイル機能の設定を促すための表示を行う。ハンズフリープロファイル機能の設定を促すための表示を行うことにより、ユーザに対してハンズフリープロファイル機能の設定をナビゲートできる。
【００５８】
ハンズフリープロファイル機能の設定を促すための表示が行われている間に、ユーザが「いいえ」に該当する操作を行った場合には（ステップＳ４０８：ＮＯ）、ステップＳ４０２に戻り、メインメニュー画面が表示される。例えば、表示部１０８がタッチパネルにより構成されている場合、該タッチパネルに表示された「はい」、「いいえ」のうち、「いいえ」を押下げることにより、ハンズフリープロファイル設定部１０２２は、ハンズフリープロファイル機能の設定を行わないと判断し、表示部１０８に、メインメニューを表示するように制御する。
【００５９】
一方、ハンズフリープロファイル機能の設定を促すための表示が行われている間に、ユーザが「はい」に該当する操作を行った場合には（ステップＳ４０８：ＹＥＳ）、ブルートゥース設定画面が表示される。例えば、タッチパネルに表示された「はい」、「いいえ」のうち、「はい」を押下げることにより、ハンズフリープロファイル設定部１０２２は、ハンズフリープロファイルの設定を行うと判断し、表示部１０８に、ブルートゥース設定画面を表示するように制御する。
【００６０】
ブルートゥース設定画面の表示が行われている間、ユーザは、「登録」、「変更」、及び「戻る」のうち、いずれかの操作を行うことができる。
【００６１】
車載機１００は、「登録」を行う操作が行われたかを判断する（ステップＳ４１０）。ユーザが「登録」に該当する操作を行った場合には（ステップＳ４１０：ＹＥＳ）、ブルートゥース接続画面が表示され、自動的に接続設定が行われる（ステップＳ４１２）。例えば、タッチパネルに表示されている「登録」、「変更」、及び「戻る」のうち、「登録」が押下げられることにより、ハンズフリープロファイル設定部１０２２は、携帯端末２００との間でハンズフリープロファイル機能の設定を行うと判断し、表示部１０８に、ブルートゥース接続画面を表示するとともに、携帯端末２００との間で、ハンズフリープロファイル機能を設定することにより、接続設定を自動的に行う。
【００６２】
ブルートゥース接続設定画面の表示が行われている間に、ユーザが「登録」に該当する操作以外の操作、例えば「変更」に該当する操作を行った場合には（ステップＳ４１０：ＮＯ）、ブルートゥース変更画面が表示される。該ブルートゥース変更画面上で、ユーザは接続設定の変更を行うことができる。例えば、タッチパネルに表示されている「登録」、「変更」、及び「戻る」のうち、「変更」が押下げられることにより、ハンズフリープロファイル設定部１０２２は、ブルートゥースによる設定変更を行うと判断し、表示部１０８に、ブルートゥース変更画面を表示する。ユーザは、該ブルートゥース変更画面上で設定変更を行うことができる。
【００６３】
車載機１００は、接続設定の変更を行う操作が行われたかを判断する（ステップＳ４１４）。例えば、ハンズフリープロファイル設定部１０２２は、接続設定の変更を行う操作が行われたかを判断する。接続設定の変更を行う操作が行われたと判断した場合（ステップＳ４１４：ＹＥＳ）、車載機１００は接続設定の変更を行う（ステップＳ４１６）。そして、ステップＳ４１０に戻る。一方、接続設定の変更を行う操作が行われたと判断されない場合（ステップＳ４１４：ＮＯ）、ステップＳ４０８に戻る。
【００６４】
また、設定変更が「完了」したことに該当する操作又は「戻る」に該当する操作が行われることにより、ブルートゥース設定画面が表示されるようにしてもよい。
【００６５】
ステップＳ４１２により、携帯端末２００との間で接続設定が自動的に行われている間に、車載機１００は、接続異常が生じていないことを判断する（ステップＳ４１８）。例えば、ハンズフリープロファイル設定部１０２２は、携帯端末２００との接続において異常が発生していないことを判断する。接続異常が発生している場合（ステップＳ４１８：ＹＥＳ）、車載機１００は、エラー表示を行う（ステップＳ４２０）。例えば、ハンズフリープロファイル設定部１０２２は、携帯端末２００との接続に異常が生じたと判断した場合には、エラー表示を行うように表示部１０８を制御する。例えば、エラーに応じて表示を変えるようにしてもよい。また、例えば、携帯端末２００と接続できなかったことを表示するようにしてもよい。また、該表示は、自動的に消去されるようにしてもよい。その後、後述するステップＳ４３６に遷移する。
【００６６】
一方、ステップＳ４１８において、接続異常が発生していない場合（ステップＳ４１８：ＮＯ）、車載機１００は、通信設定画面の表示を行うようにしてもよい。該通信設定画面には、携帯端末２００との接続が完了したことを通知する表示が行われてもよい。例えば、ハンズフリープロファイル設定部１０２２は、携帯端末２００との接続に異常が生じないと判断した場合には、通信設定画面の表示を行うように表示部１０８を制御するようにしてもよい。例えば、携帯端末と接続できたことを表示するようにしてもよい。また、該表示は、自動的に消去されるようにしてもよい。
【００６７】
車載機１００は、携帯端末２００に、該携帯端末２００が所属する事業者の情報を取得するように命令する（ステップＳ４２２）。例えば、事業者情報取得命令作成部１０２４は、携帯端末２００に、該携帯端末２００が所属する事業者の情報を取得させる事業者情報取得命令を作成し、ブルートゥース通信部１０４に、該事業者情報取得命令を入力する。ブルートゥース通信部１０４は、携帯端末２００に、事業者情報取得命令作成部１０２４により入力された事業者情報取得命令を無線送信する。該事業者情報取得命令は、携帯端末２００のブルートゥース通信部２２４に受信される。ブルートゥース通信部２２４は、該事業者情報取得命令を事業者情報取得制御部２０２２に入力する。事業者情報取得制御部２０２２は、ブルートゥース通信部２２４により入力された事業者情報取得命令に従って、事業者情報取得命令を含むパケットを変調部２０６及び送信部２０４を介して無線送信し、該パケットの応答に含まれる事業者情報を受信部２０８及び復調部２１０を介して取得する。送信部２０４により無線送信されたパケットは、基地局３００に受信される。該基地局３００は、該パケットを移動体通信網４００に接続された事業者の情報を有する装置に送信する。事業者の情報を有する装置は該パケットを受信すると、携帯端末２００の属する事業者の情報を含む応答パケットを返信する。事業者情報取得制御部２０２２は、事業者の情報をブルートゥース通信部２２４に入力する。ブルートゥース通信部２２４は、車載機１００に事業者の情報を無線送信する。該事業者の情報は、車載機１００のブルートゥース通信部１０４に受信される。ブルートゥース通信部１０４は、事業者の情報をダイアルアップネットワーキングプロファイル設定部１０２８に入力する。
【００６８】
車載機１００は、事業者の情報を取得すると、通信設定画面を表示する。ダイアルアップネットワーキングプロファイル設定部１０２８は、表示部１０８に、通信設定画面の表示を行い、事業者の情報を用いて、ダイアルアップネットワーキングプロファイルの設定を行う（ステップＳ４２４）。例えば、ダイアルアップネットワーキングプロファイル設定部１０２８は、携帯端末２００との間で、ダイアルアップネットワーキングプロファイル機能を設定する。該通信設定画面では、ユーザは「戻る」に該当する操作を行うことができる。また、ダイアルアップネットワーキングプロファイル機能の設定が完了した場合には、「完了」に該当する操作を行うことができる。例えば、通信画面設定画面には、「完了」を示す表示が行われる。車載機１００は、「完了」に該当する操作が行われたかを判断する（ステップＳ４２６）。ユーザが「完了」に該当する操作を行った場合（ステップＳ４２６：ＹＥＳ）、車載機１００は、事業者が未設定であるかを判断する（ステップＳ４２８）。例えば、ダイアルアップネットワーキングプロファイル設定部１０２８は、事業者が未設定であるかを判断する。
【００６９】
事業者が未設定である場合（ステップＳ４２８：ＹＥＳ）、車載機１００は、通信設定画面に、事業者が設定されていないことを通知する表示を行う（ステップＳ４３０）。その後、ステップＳ４２４に戻る。例えば、車載機１００は、事業者が設定されていないことを通知する表示を行い、該表示を消去した後、ステップＳ４２４に戻るようにしてもよい。ステップＳ４２４では、ステップＳ４２２により取得された事業者の情報により、ダイヤルアップネットワーキングプロファイルの設定が行われるようにしてもよい。ダイアルアップネットワーキングプロファイル設定部１０２８によりダイアルアップネットワーキングプロファイルの設定が行われたにもかかわらず、事業者の情報が設定されていないことは、ステップＳ４２２により事業者の情報が取得できなかったことにより事業者の情報を設定できなかったことが原因である場合もある。ステップＳ４２２により事業者の情報が取得できなかった場合には、ステップＳ４２４により再度ダイアルアップネットワーキングプロファイルの設定の試行が行われても、失敗する可能性が高い。従って、ダイアルアップネットワーキングプロファイルの設定が行われたにもかかわらず、事業者の情報が未設定である場合には、ユーザに対し手動で設定することを促すようにしてもよい。
【００７０】
一方、事業者が未設定でない場合（ステップＳ４２８：ＮＯ）、車載機１００は、携帯端末２００がデータ通信に利用しないに設定されているかを判断する（ステップＳ４３２）。例えば、ダイアルアップネットワーキングプロファイル設定部１０２８は、携帯端末２００がデータ通信に利用しない端末に設定されているかを判断する。
【００７１】
携帯端末２００がデータ通信に利用しない端末に設定されている場合（ステップＳ４３２：ＹＥＳ）、車載機１００は、通信に利用しないに設定されていることを確認する（ステップＳ４３４）。例えば、車載機１００は、通信設定画面に、データ通信に利用しない端末に設定されているため、データ通信を行うことができないことを確認する表示を行うようにしてもよい。例えば、ダイアルアップネットワーキングプロファイル設定部１０２８は、表示部１０８に表示されている通信設定画面に、データ通信に利用しない端末に設定されているため、データ通信を行うことができないことを確認する表示を行う。
【００７２】
ステップＳ４３４により、通信設定画面にデータ通信に利用しない端末に設定されているため、データ通信を行うことができないことを確認する表示が行われている画面上で、ユーザは「はい」又は「いいえ」を選択できる。「いいえ」に該当する操作が行われた場合（ステップＳ４３４：ＮＯ）、ステップＳ４２４に戻る。ステップＳ４２４では、携帯端末２００をデータ通信に利用するように変更することが促される。そして、携帯端末２００をデータ通信に利用する端末に変更することを反映し、ダイヤルアップネットワーキングプロファイルの設定が行われる。
【００７３】
一方、ステップＳ４３２により携帯端末２００がデータ通信に利用しない端末に設定されていない場合（ステップＳ４３２：ＮＯ）及びステップＳ４３４により「はい」に該当する操作が行われた場合（ステップＳ４３４：ＹＥＳ）、ダイアルアップネットワーキングプロファイル機能の設定・編集を行なうことができる状態に遷移する（ステップＳ４３６）。例えば、手動によりダイアルアップネットワーキングプロファイルの設定及び編集が可能にされる。ユーザによる操作に従って、ダイアルアップネットワーキングプロファイル部１０２８は、ダイアルアップネットワーキングプロファイルの設定・編集を行う。
【００７４】
ステップＳ４０６によりデータ通信に利用する携帯端末が未選択であると判断された場合（ステップＳ４０６：ＹＥＳ）、車載機１００は、携帯端末を選択する操作が行われたかを判断する（ステップＳ４３８）。例えば、車載機１００は、メインメニュー画面上に、データ通信に利用することを許可する携帯端末の設定を行うための画面を表示するようにしてもよい。例えば、「車載ネットワークサービスへの接続には、各種設定が必要です。設定を行いますか？」などの設定をナビゲートするための表示が行われる。例えば、ダイアルアップネットワーキングプロファイル設定部１０２８は、データ通信に利用する携帯端末２００が未設定である場合、表示部１０８に、データ通信に利用する携帯端末２００の設定を促すための表示を行う。
【００７５】
ステップＳ４３８によりデータ通信に利用する携帯端末２００の設定を促すための表示が行われている間に、ユーザが「いいえ」に該当する操作を行った場合には（ステップＳ４３８：ＮＯ）、ステップＳ４０２に戻り、メインメニュー画面が表示される。例えば、表示部１０８がタッチパネルにより構成されている場合、該タッチパネルに表示された「はい」、「いいえ」のうち、「いいえ」を押下げることにより、ダイアルアップネットワーキングプロファイル設定部１０２８は、データ通信に利用する携帯端末２００の設定を行わないと判断し、表示部１０８に、メインメニューを表示するように制御する。一方、ステップＳ４３８によりデータ通信に利用する携帯端末２００の設定を促すための表示が行われている間に、ユーザが「はい」に該当する操作を行った場合には（ステップＳ４３８：ＹＥＳ）、携帯端末の選択処理が行われる（ステップＳ４４０）。例えば、携帯端末選択画面が表示されるようにしてもよい。例えば、タッチパネルに表示されている「はい」、「いいえ」のうち、「はい」を押下げることにより、ダイアルアップネットワーキングプロファイル設定部１０２８は、データ通信に利用する携帯端末２００の設定を行うと判断し、表示部１０８に、携帯端末選択画面を表示するように制御する。
【００７６】
ステップＳ４４０により携帯端末選択画面の表示が行われている間に、ユーザは使用すべき携帯端末、換言すればデータ通信に利用することを許可する携帯端末を選択することができる。そして、携帯端末選択画面の表示が行われている間に、ユーザは、「戻る」又は「完了」を選択できる。「完了」に該当する操作が行われた場合、車載機１００は、ステップＳ４４０により選択された携帯端末をデータ通信に利用できる携帯端末に設定する。
【００７７】
車載機１００は、データ通信に利用する携帯端末が、データ通信が可能となるように設定されているかを判定する（ステップＳ４４２）。例えば、ダイアルアップネットワーキングプロファイルの設定がされているかを判定する。
【００７８】
ステップＳ４４２によりダイアルアップネットワーキングプロファイルの設定がされていると判定された場合（ステップＳ４４２：ＹＥＳ）、ステップＳ４３２に遷移する。一方、ステップＳ４４２によりダイアルアップネットワーキングプロファイルの設定がされていないと判定された場合（ステップＳ４４２：ＮＯ）、ステップＳ４２２に遷移する。
【００７９】
ステップＳ４０６によりデータ通信に利用する携帯端末２００が選択されていると判断された場合（ステップＳ４０６：ＮＯ）、車載機１００は、携帯端末２００がデータ通信に利用可能に設定されているかを判断する（ステップＳ４４４）。例えば、ダイアルアップネットワーキングプロファイル設定部１０２８は、携帯端末２００がデータ通信に利用可能に設定されているかを判断する。
【００８０】
ステップＳ４４４により携帯端末２００がデータ通信に利用可能に設定されていない場合（ステップＳ４４４：ＮＯ）、車載機１００は、メインメニュー画面上に、ブルートゥースの設定を行うための画面を表示する。例えば、「車載ネットワークサービスへの接続には、各種設定が必要です。設定を行いますか？」などの設定をナビゲートするための表示が行われる。例えば、ダイアルアップネットワーキングプロファイル設定部１０２８は、携帯端末２００がデータ通信に利用可能に設定されていない場合、表示部１０８に、携帯端末２００をデータ通信に利用可能にする設定を促すための表示を行う。
【００８１】
車載機１００は、携帯端末の利用について設定されたかを判断する（ステップＳ４４６）。携帯端末２００をデータ通信に利用可能にする設定を促すための表示が行われている間に、ユーザが「いいえ」に該当する操作を行った場合には（ステップＳ４４６：ＮＯ）、ステップＳ４０２に戻り、メインメニュー画面が表示される。例えば、表示部１０８がタッチパネルにより構成されている場合、該タッチパネルに表示された「はい」、「いいえ」のうち、「いいえ」を押下げることにより、ダイアルアップネットワーキングプロファイル設定部１０２８は、携帯電話を利用可能にする設定を行わないと判断し、表示部１０８に、メインメニューを表示するように制御する。一方、ステップＳ４４６により携帯端末２００をデータ通信に利用可能にする設定を促すための表示が行われている間に、ユーザが「はい」に該当する操作を行った場合には（ステップＳ４４６：ＹＥＳ）、ステップＳ４２２に遷移する。例えば、タッチパネルに表示された「はい」、「いいえ」のうち、「はい」を押下げることにより、車載機１００は、携帯端末２００に、該携帯端末２００が所属する事業者の情報を取得するように命令する。その後、ダイアルアップネットワーキングプロファイル設定部１０２８は、ダイアルアップネットワーキングプロファイルの設定を行う。
【００８２】
ステップＳ４４４により携帯端末が利用可能に設定されている場合（ステップＳ４４４：ＹＥＳ）、車載機１００は、ブラウザ画面を表示する（ステップＳ４４８）。
【００８３】
本実施例によれば、携帯端末との間で無線通信を行い、該携帯端末と接続された通信網を介してデータ通信を行う車載機が提供される。該車載機は、当該車載機との間で第１の通信設定が行われた携帯端末に該携帯端末が所属する事業者の情報を取得させる事業者情報取得命令を作成する事業者情報取得命令作成部と、前記第１の通信設定に従って、前記携帯端末に、前記事業者情報取得命令を送信するブルートゥース通信部１０４としての事業者情報取得命令送信部と、前記第１の通信設定に従って前記携帯端末により送信された前記事業者情報取得命令に対する応答を受信するブルートゥース通信部１０４としての事業者情報取得命令応答受信部と、該事業者情報取得命令応答受信部により受信された応答から事業者の情報を取得し、該事業者の情報を用いて、前記携帯端末を介して前記通信網に接続するための第２の通信設定を行うダイアルアップネットワーキングプロファイル設定部としての通信設定部とを有する。
【００８４】
携帯端末に該携帯端末が所属する事業者の情報を取得させる事業者情報取得命令を作成し、携帯端末に該事業者情報取得命令を送信し、前記携帯端末により送信された事業者情報取得命令に対する応答から事業者の情報を取得し、該事業者の情報を用いて、前記携帯端末を介して前記通信網に接続するための第２のプロファイルを設定する（第２の通信設定を行う）ことにより、携帯端末の事業者設定を自動化できる。換言すれば、ダイアルアップネットワーキングプロファイルの設定を自動化できる。
【００８５】
さらに、データ通信に使用すべき携帯端末を設定する使用携帯端末設定部を有し、前記通信設定部は、前記使用携帯端末設定部によりデータ通信に使用すべき携帯端末として設定された携帯端末との間で、前記第２の通信設定を行う。
【００８６】
データ通信に使用すべき携帯端末を設定することにより、ユーザが許可した携帯端末によりデータ通信を行うことができる。
【００８７】
また、当該車載機に車載専用通信機が接続されていることを判断するようにしてもよい。車載機は、当該車載機に車載専用通信機が接続されていないと判断され、且つ、当該車載機と前記携帯端末との間に前記第１の通信設定が行われていない判定した場合に携帯端末との間で、第１の通信設定を行う。該第１の通信設定は、ハンズフリー通話を実現するためのプロファイルであってもよい。当該車載機に車載専用通信機が接続されていないと判断された場合に、当該車載機と前記携帯端末との間に前記第１の通信設定が行われていることを判定することにより、車載専用通信機によるデータ通信を優先できる。
【００８８】
さらに、当該車載機に第１の通信設定が行われていることを判定することにより、当該車載機と前記携帯端末との間に前記第１の通信設定が行われていることを判定するようにしてもよい。当該車載機に第１の通信設定が行われていることを判定することにより、当該車載機と前記携帯端末との間に前記第１の通信設定が行われていることを判定するための処理負荷を低減できる。
【００８９】
さらに、当該車載機に接続すべきデバイス毎に第１の通信設定が行われていることを判定することにより、当該車載機と前記携帯端末との間に前記第１のプロファイルが設定されていることを判定する。
【００９０】
当該車載機に接続すべきデバイス毎に第１の通信設定が行われているかを判定することにより、他の装置により第１の通信設定が行われている場合であっても、携帯端末の第１の通信設定が行われていないと判定されるため、確実に、携帯端末の第１の通信設定を行うことができる。
【００９１】
さらに、当該車載機は、前記携帯端末との間で、ブルートゥースに準拠したハンズフリー通話を実現するための第１のプロファイルを設定し、前記通信設定部は、前記事業者の情報を用いて、ブルートゥースに準拠した前記携帯端末を介して前記通信網に接続するための第２のプロファイルを設定する。
【００９２】
携帯端末との間で、ブルートゥースに準拠したハンズフリー通話を実現するための第１のプロファイルを設定することにより、携帯端末との間で、ブルートゥースに準拠したハンズフリー通話を実現できる。また、事業者の情報を用いて、ブルートゥースに準拠した前記携帯端末を介して前記通信網に接続するための第２のプロファイルを設定することにより、携帯端末を介してデータ通信を行うことができる。
【００９３】
本実施例によれば、携帯端末と、該携帯端末との間で無線通信を行い、該携帯端末と接続された通信網を介してデータ通信を行う車載機とを有するシステムが提供される。前記車載機は、当該車載機との間で第１の通信設定が行われた携帯端末に該携帯端末が所属する事業者の情報を取得させる事業者情報取得命令を作成する事業者情報取得命令作成部と、前記第１の通信設定に従って、前記携帯端末に、前記事業者情報取得命令を送信する事業者情報取得命令送信部と、前記第１の通信設定に従って前記携帯端末により送信された前記事業者情報取得命令に対する応答を受信する事業者情報取得命令応答受信部と、該事業者情報取得命令応答受信部により受信された応答から事業者の情報を取得し、該事業者の情報を用いて、前記携帯端末を介して前記通信網に接続するための第２の通信設定を行う通信設定部とを有する。前記携帯端末は、前記車載機により送信された事業者情報取得命令を受信するブルートゥース通信部としての事業者情報取得命令受信部と、該事業者情報取得命令受信部により受信された事業者情報取得命令に従って、前記通信網にアクセスし、当該携帯端末が所属する事業者の情報を取得する事業者情報取得制御部としての事業者情報取得部と、前記車載機に、前記事業者情報取得部により取得された事業者の情報を送信するブルートゥース通信部としての事業者情報送信部とを有する。
【００９４】
携帯端末に該携帯端末が所属する事業者の情報を取得させる事業者情報取得命令を作成し、携帯端末に該事業者情報取得命令を送信し、前記携帯端末により送信された事業者情報取得命令に対する応答から事業者の情報を取得し、該事業者の情報を用いて、前記携帯端末を介して前記通信網に接続するための第２のプロファイルを設定することにより、携帯端末の事業者設定を自動化できる。換言すれば、ダイアルアップネットワーキングプロファイルの設定を自動化できる。
【００９５】
以上、本発明は特定の実施例を参照しながら説明されてきたが、各実施例は単なる例示に過ぎず、当業者は様々な変形例、修正例、代替例、置換例等を理解するであろう。説明の便宜上、本発明の実施例に従った装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が包含される。
【符号の説明】
【００９６】
１００  車載機
１０２  制御部
１０４  ブルートゥース通信部
１０６  操作部
１０８  表示部
１１０  RAM(Random  Access  Memory)
１１２  ROM(Read  Only  Memory)
１１４  音声処理部
１１６  マイクロフォン
１１８  スピーカ
１０２２  ハンズフリープロファイル(HFP:  Hands-Free  Profile)設定部
１０２４  事業者情報取得命令作成部
１０２６  使用携帯端末設定部
１０２８  ダイアルアップネットワーキングプロファイル(Dial-up  Networking  Profile)設定部
２００  携帯端末
２０２  制御部
２０４  送信部
２０６  変調部
２０８  受信部
２１０  復調部
２１２  音声処理部
２１４  マイクロフォン
２１６  スピーカ
２１８  メモリ
２２０  表示部
２２２  操作部
２２４  ブルートゥース通信部
２０２２  事業者情報取得制御部
３００  基地局
４００  移動体通信網
【図１】
2011015324.tif 000003
【図２】
2011015324.tif 000004
【図３】
2011015324.tif 000005
【図４】
2011015324.tif 000006
【図５】
2011015324.tif 000007